(57)【要約】【課題】簡単な構造で、鍵盤楽器の美観を損なうことなくケーブルの引き回しを可能にする鍵盤楽器およびコネクタ用クランプを提供する。【解決手段】コネクタ用クランプ１２０は、コネクタ用クランプ１２０と土台１１３との間に形成される空間にケーブル９４を配置するから、土台１１３の側面から底面に沿って這わせたケーブル９４が外部に露出するのを防止し、当該ケーブル９４の保護を確実に図る。さらに、土台１１３の角を跨いで取り付けられているため、底板１４のケーブル挿通孔１４Ｂから外に延出されたケーブル９４が土台１１３の側面から露出することはないため、ピアノ１の美観を損なうのを抑制する。【選択図】図５
2009217031.tif 000002
【特許請求の範囲】
【請求項１】
電子機器が取り付けられた筐体を有する鍵盤楽器であって、
一端が前記電子機器に接続され、他端が当該鍵盤楽器の裏側に位置する前記筐体の所定位置に設けられたコネクタに接続され、前記筐体の底板或いは側板に穿設された挿通孔に挿通されて外部に引き出されるケーブルと、
前記所定位置に取り付けられるコネクタ用クランプであって、前記底板或いは側板から互いに異なった面に対向して延びるクランプ本体と、前記クランプ本体に形成され、前記所定位置の部位に取り付けられる取付部と、前記クランプ本体のうち前記互いに異なった面に対向する位置に形成され、前記コネクタが固定されるコネクタ固定部と、前記クランプ本体のうち前記底板或いは側板に対向する位置に形成され、前記ケーブルを前記コネクタから前記挿通孔に案内するケーブル案内部と、を備えたコネクタ用クランプと、を備えた
ことを特徴とする鍵盤楽器。
【請求項２】
請求項１記載の鍵盤楽器において、
前記コネクタ用クランプのケーブル案内部は、前記ケーブルが挿通される空間が前記底板或いは側板との間に形成される形状である
ことを特徴とする鍵盤楽器。
【請求項３】
請求項１または２記載の鍵盤楽器において、
前記コネクタ用クランプのケーブル案内部は、前記所定位置の断面形状に応じた形状に形成される
ことを特徴とする鍵盤楽器。
【請求項４】
請求項１〜３のうちいずれか１に記載の鍵盤楽器において、
前記コネクタ用クランプは、１枚の板体を折曲加工することによって形成される
ことを特徴とする鍵盤楽器。
【請求項５】
請求項１〜４のうちいずれか１に記載の鍵盤楽器において、
前記コネクタ用クランプのクランプ本体には、前記ケーブルの移動を規制するケーブル規制部を設ける
ことを特徴とする鍵盤楽器。
【請求項６】
ケーブルが接続されたコネクタを被支持体に支持するためのコネクタ用クランプであって、
クランプ本体と、
前記クランプ本体に形成され、前記被支持体に固定される固定部と、
前記クランプ本体の一側に形成され、前記コネクタが固定されるコネクタ固定部と、
前記クランプ本体の他側に形成され、前記ケーブルを当該コネクタ用クランプ外に案内するケーブル案内部と、を備えた
ことを特徴とするコネクタ用クランプ。
【請求項７】
請求項６記載のコネクタ用クランプにおいて、
前記ケーブル案内部は、前記ケーブルが挿通される空間が前記被支持体との間に形成される形状である
ことを特徴とするコネクタ用クランプ。
【請求項８】
請求項６または７記載のコネクタ用クランプにおいて、
前記ケーブル案内部は、前記被支持部の断面形状に応じた形状に形成される
ことを特徴とするコネクタ用クランプ。
【請求項９】
請求項６〜８のうちいずれか１に記載のコネクタ用クランプにおいて、
当該コネクタ用クランプは、１枚の板体を折曲加工することによって形成される
ことを特徴とするコネクタ用クランプ。
【請求項１０】
請求項６〜９のうちいずれか１に記載のコネクタ用クランプにおいて、
クランプ本体には、前記ケーブルの移動を規制するケーブル規制部を設ける
ことを特徴とするコネクタ用クランプ。
【発明の詳細な説明】
【技術分野】
【０００１】
本発明は、美観を損なうことなく、ケーブルの引き回しを可能にした鍵盤楽器およびコネクタ用クランプに関する。
【背景技術】
【０００２】
一般に、アップライトピアノ（鍵盤楽器）に自動演奏機能やサイレント機能（打弦音を消して電子音源のみでヘッドフォン等で聴く）等を有する電子部品からなるユニットを備えたものが知られている（特許文献１等）。これにより、ピアノは、アクション機構による打弦音による楽曲演奏に加え、電子音源による楽曲演奏を行うことが可能となる。
このユニットは、鍵盤やペダルの動作を検出するセンサと、このセンサからの信号を処理するための電気回路が内蔵されたコントロールボックスと、このコントロールボックスから引き出されれて信号の授受等を行うケーブルと、を備える。このケーブルは、センサと接続するためのセンサ線と、音を出力するための出力線と、コントロールボックスに給電を行うための給電線とからなる。
【０００３】
ここで、アップライトピアノにこのユニットを取り付ける場合、ピアノの鍵盤やペダルにセンサを設け、コントロールボックスをピアノ内に固定する。このコントロールボックスから引き出される出力線と給電線とは、ピアノの外形をなす筐体に穿設された挿通孔を通して外部に引き出される。ピアノの外部に出されたリード線は、所定の位置まで引き回された上で、クランプに固定されたスピーカジャックやＤＣジャック等に接続される。
ピアノの外側に引き回されたリード線は、美観を損ねる大きな誘因となる。そこで、これを抑制する手段として、脚柱に形成したケーブル案内穴内にケーブルを通すようにしたものがある（特許文献２）。
【０００４】
【特許文献１】特開平５−３１３６５６公報
【特許文献２】特開２００２−３４１８６１公報
【発明の開示】
【発明が解決しようとする課題】
【０００５】
このように、クランプは、ジャックを固定するための構造でしかなく、ケーブルをガイドする等の構造となっていないため、支持部分においてケーブルの保護が図られていないのが実情である。
また、ケーブルをピアノ内部で取り回した場合は、外観の美観を損ねることはないものの、響板等のように打弦音に影響を及ぼす部位に挿通孔の穿設加工が必要となり、打弦音に悪影響を与える結果となっていた。
さらに、特許文献２では、脚柱にケーブル案内穴を形成するため、その形成加工に時間と労力を要し、コスト高を招くことになり、決して有効的な手段であるとは言い難い。
【０００６】
本発明は、上述した課題に鑑みてなされたものであり、その目的は、簡単な構造で、鍵盤楽器の美観を損なうことなくケーブルの引き回しを可能にする鍵盤楽器およびコネクタ用クランプを提供することにある。
【課題を解決するための手段】
【０００７】
上述した課題を解決するために、本発明が採用する鍵盤楽器の構成は、電子機器が取り付けられた筐体を有する鍵盤楽器であって、一端が前記電子機器に接続され、他端が当該鍵盤楽器の裏側に位置する前記筐体の所定位置に設けられたコネクタに接続され、前記筐体の底板或いは側板に穿設された挿通孔に挿通されて外部に引き出されるケーブルと、前記所定位置に取り付けられるコネクタ用クランプであって、前記底板或いは側板から互いに異なった面に対向して延びるクランプ本体と、前記クランプ本体に形成され、前記所定位置の部位に取り付けられる取付部と、前記クランプ本体のうち前記互いに異なった面に対向する位置に形成され、前記コネクタが固定されるコネクタ固定部と、前記クランプ本体のうち前記底板或いは側板に対向する位置に形成され、前記ケーブルを前記コネクタから前記挿通孔に案内するケーブル案内部と、を備えたコネクタ用クランプと、を備えたことを特徴とする。
【０００８】
上記構成において、前記コネクタ用クランプのケーブル案内部は、前記ケーブルが挿通される空間が前記底板或いは側板との間に形成される形状であることが好ましい。
【０００９】
上記構成において、前記コネクタ用クランプのケーブル案内部は、前記所定位置の断面形状に応じた形状に形成されることが好ましい。
【００１０】
上記構成において、前記コネクタ用クランプは、１枚の板体を折曲加工することによって形成されることが好ましい。
【００１１】
上記構成において、前記コネクタ用クランプのクランプ本体には、前記ケーブルの移動を規制するケーブル規制部を設けることが好ましい。
【００１２】
上述した課題を解決するために、本発明が採用するコネクタ用クランプの構成は、ケーブルが接続されたコネクタを被支持体に支持するためのコネクタ用クランプであって、クランプ本体と、前記クランプ本体に形成され、前記被支持体に固定される固定部と、前記クランプ本体の一側に形成され、前記コネクタが固定されるコネクタ固定部と、前記クランプ本体の他側に形成され、前記ケーブルを当該コネクタ用クランプ外に案内するケーブル案内部と、を備えたことを特徴とする。
【００１３】
上記構成において、前記ケーブル案内部は、前記ケーブルが挿通される空間が前記被支持体との間に形成される形状であることが好ましい。
【００１４】
上記構成において、前記ケーブル案内部は、前記被支持部の断面形状に応じた形状に形成されることが好ましい。
【００１５】
上記構成において、当該コネクタ用クランプは、１枚の板体を折曲加工することによって形成されることが好ましい。
【００１６】
上記構成において、クランプ本体には、前記ケーブルの移動を規制するケーブル規制部を設けることが好ましい。
【発明の効果】
【００１７】
本発明によれば、例えば筐体の底板に穿設された挿通孔を通して電子機器に接続されるケーブルを、コネクタ用クランプのケーブル案内部が鍵盤楽器の裏側に位置したコネクタに案内するため、底面から他の面に折り曲げる位置に当たるケーブルをケーブル案内部で案内することで、ケーブルの保護を図ると共に、外部に対するケーブルの露出をなくし、電子機器からコネクタに延びるケーブルによって美観を損ねるのを抑制することができる。
【発明を実施するための最良の形態】
【００１８】
以下、本発明に係る鍵盤楽器の実施形態について図面を参照して説明する。
図１は、一実施形態であるアップライトピアノ（鍵盤楽器）の構成を示す断面図である。このアップライトピアノ１（以下、ピアノ１という）には、自動演奏用のユニットが組み込まれている。
ピアノ１は、横長箱型の楽器本体１１（筐体）を備えている。この楽器本体１１は、上前板１２、下前板１３、底板１４、屋根後１５、開閉自在な屋根前１６等からなり、上前板１２と下前板１３との間に鍵盤部１７が前方に突出して設けられている。鍵盤部１７は、棚板１８、この棚板１８の両側に設けられた左右一対の腕木１９（一方のみ図示）、鍵盤蓋２０、鍵盤奥蓋２１等からなり、棚板１８上に８８鍵からなる鍵盤２２と、各鍵の押鍵操作によって動作し弦２３を打撃する複数個のアクション機構３０が配設されている。棚板１８の両側には脚柱２４を介して妻土台２５が固定される。さらに、妻土台２５および後述する土台１１３にはキャスタ２６が取り付けられる。
【００１９】
アクション機構３０は、鍵盤２２の後端部上面に立設されたキャプスタン３１と、キャプスタン３１により突き上げられるウイペン３２の上方に設けられたジャック３３と、回動自在に支持されたハンマーシャンク３４およびハンマー３５等と、を有している。演奏者が鍵盤２２を押圧することにより、ハンマーシャンク３４が回動し、ハンマー３５が弦２３を打撃するものである。
【００２０】
また、ハンマーシャンク３４と弦２３との間には、ストッパ（消音機構）４０が配設されている。このストッパ４０は、後述するように、紙面に垂直方向に延設された回動自在な軸と、その軸に固着されたクッション等とを備えている。軸の一端はモータ（図示せず）の回動軸に固着されている。
【００２１】
ストッパ４０のクッション（図示せず）をハンマーシャンク３４に対向する位置に回動停止させた場合、打鍵によりハンマーシャンク３４が弦２３の方向に回動すると、ハンマーシャンク３４はストッパ４０のクッションに当接し、ハンマー３５が打弦する直前でハンマーシャンク３４が停止する。これにより、ストッパ４０は、ハンマー３５が打弦するのを阻止する消音機構として動作する。
【００２２】
ストッパ４０の軸を回動させるモータは、電動式の駆動手段であり、このモータにはモータ駆動回路４１が接続されている。このモータ駆動回路４１は、スイッチ４２の操作に対応した出力信号をモータに印加し、ストッパ４０を所定の位置まで回動させるものである。
【００２３】
このスイッチ４２は、打弦によりピアノ音を発するモード（以下、打弦モードという）、打弦することなく電子音源により発音するモード（以下、非打弦モードという）のいずれかを選択するためのモード操作手段、スピーカ４７またはヘッドフォン４８の音量を調整する音量調整手段となる。スイッチ４２はコントローラ５０に設けられている。このコントローラ５０は、棚板１８の左側下に架設されている。
【００２４】
そして、上記各鍵盤２２の下方には打鍵された鍵盤２２およびその打鍵速度を検出するためのキーセンサ４３（検出手段）が配設されている。これらのキーセンサ４３は非打弦モードに電子音源を用いてピアノ音等を発する際に使用されるものである。キーセンサ４３は、フォトインタラプタ等の光センサにより構成されている。
【００２５】
ピアノの下部には３個のペダル４４が配設されている。図１では、ラウドペダルが図示されている。各ペダル４４は、シャフト４５を介して弦２３の近傍に配設されたダンパー（共鳴音発生手段）（図示せず）等に接続されている。そして、各ペダル４４の近傍にはペダルセンサ４６が設けられている。このペダルセンサ４６は各ペダル４４の位置を検出して、所定の信号を出力するものである。
【００２６】
キーセンサ４３、ペダルセンサ４６のそれぞれから出力された信号はコントローラ５０に入力されている。コントローラ５０は、スイッチ４２の操作によって、打弦モード或いは非打弦モードのいずれかのモードに対応した処理を行うものである。
【００２７】
つまり、打弦モード時には、コントローラ５０はストッパ４０を所定位置に回動させ、ハンマーシャンク３４が回動する際、ハンマーシャンク３４がストッパ４０に当接しないようにする。そして、この打弦モードにおいては、コントローラ５０は電子音源等の回路の動作を停止させるため、打弦による通常のアコースティックピアノの音が発せられるものである。
【００２８】
一方、非打弦モード時には、打弦直前にハンマーシャンク３４がストッパ４０に当接するよう、コントローラ５０はストッパ４０を所定位置に回動させる。さらに、コントローラ５０は、電子音源等の回路を動作させることにより、キーセンサ４３から出力された信号に対応した信号を生成するものである。そして、この信号は、アンプを介してスピーカ４７またはヘッドフォン４８から出力される。
【００２９】
なお、コントローラ５０とモータ駆動回路４１、キーセンサ４３、ペダルセンサ４６、スピーカ４７およびＤＣジャック９０は、リード線４９によって接続される。コントローラ５０と、ピアノ１の裏面側下部に配置されたＤＣジャック９０とは給電用リード線４９Ａによって接続される。コントローラ５０には、ＡＣアダプター（図示せず）、ＤＣプラグ８０、ＤＣジャック９０および給電用リード線４９Ａを介して直流の電圧Ｖｃｃが印加される。
本実施形態では、コントローラ５０から延びる給電用リード線４９Ａは、ピアノ１の前側に位置した下前板１３からピアノ１内に挿入され、底板１４のケーブル挿通孔１４Ｂから裏側に回り込んでＤＣジャック９０に接続される。
【００３０】
このように構成されるピアノ１にあっては、非打弦モード時において、ハンマー３５が打弦直前で停止するため、打弦音が発せられることはない。一方、電子音源によるピアノ音のみが発せられるため、打弦音が当該電子音源による楽音を妨げるのを防止する。このように、電子音源によるピアノ音の音量を変更することにより、ピアノ音を任意の音量に設定することが可能となる。
例えば、夜間等においては、スピーカ４７から発せられる音量をボリューム等のスイッチ４２で調整することにより、十分にその音量を減衰することができるものである。また、ヘッドフォン４８を用いた場合には、演奏音が外部に漏れるので防止することができる。
【００３１】
また、非打弦モード時においては、打鍵によりアクションが実際に動作するため、キータッチが損なわれることもないという利点もある。打弦モードにおいては、ストッパ４０がハンマーシャンク３４の回動を妨げない位置に移動するため、本鍵盤楽器は通常のアコースティックピアノと同様の演奏動作で使用することが可能となる。
【００３２】
次に、本実施形態に記載された発明の特徴について述べる。
本実施形態の特徴は、コントローラ５０と楽器本体１１の外側に位置するＤＣジャック９０とを電気的に接続するためのケーブルを、楽器本体１１の底板１４に穿設された挿通孔１４Ｂを介して外部に引き出した点、および前記ＤＣジャック９０を所定位置に取り付けるコネクタ用クランプ１２０に、楽器本体１１の角（土台１１３）の二面に跨ってケーブルを案内する部位を形成した点にある。
【００３３】
このアップライトピアノ１では、枠組みした支柱組立品１００の前面に打廻し１０１が取り付けられ、この打廻し１０１を介して、響棒や駒（いずれも図示せず）を接着した響板１０２が取り付けられ、支柱組立品１００の前面上部にはピン板１０３が接着されている。
支柱組立品１００は、弦２３の張力を支持する役割と、打廻し１０１、ピン板１０３や親板（図示せず）などを取り付け、保持する役割とを有している。
【００３４】
このため、支柱組立品１００は、図２に示すように、両側部の支柱１１１，１１１、これらの間に配された複数の中支柱１１２、土台１１３、桁１１４および梁１１５を枠組みすることによって、形成されている。土台１１３の裏面側には化粧板１１３Ａを貼り付けられ、桁１１４および梁１１５の裏面側には板状の桁裏１１６が貼り付けられる。支柱１１１の両側には腕木１９が取り付けられる。
【００３５】
支柱１１１，１１１、中支柱１１２、土台１１３、桁１１４および梁１１５はいずれも、例えばブナ、スプルース、マトマ、硬質積層合板等の硬質な木質角材で構成されており、できるだけ頑丈な支柱組立品１００として組み立てるために、「ほぞ組」または接着により連結されている。また、打廻し１０１は、両支柱１１１、中支柱１１２、土台１１３および梁１１５に沿うように取り付けられ、ピン板１０３は、桁１１４および梁１１５を跨ぐように取り付けられる。
【００３６】
次に、コネクタ用クランプ１２０について説明する。
図３はコネクタ用クランプ１２０を横から見た図、図４はコネクタ用クランプ１２０にＤＣジャック９０を固定する前の状態を示した分解斜視図である。
このコネクタ用クランプ１２０は、一枚の金属製（例えば、冷間圧延鋼板（ＳＰＣＣ））の板体を所定の寸法に切断した後にプレス加工によって形成され、断面略「Ｌ」字状に形成されたクランプ本体１２１と、取付部１２２と、コネクタ固定部１２３と、ケーブル案内部１２４とを有する。
【００３７】
取付部１２２は、図４に示すように、クランプ本体１２１の主体となる平板部に対し、取付後に露出する面から見て右上と右下の位置に穿設されたネジ挿通孔１２２Ａ，１２２Ａと、ネジ挿通孔１２２Ａ，１２２Ａ間に形成された小孔１２２Ｃ，１２２Ｃを有する。ネジ挿通孔１２２Ａ，１２２Ａに皿ネジＮ２（図５参照）を挿通して土台１１３にねじ込むことにより、当該コネクタ用クランプ１２０は土台１１３に取り付けられる。
【００３８】
また、ネジ挿通孔１２２Ａには、図３に示すように、皿ネジＮ２の頭部を収容するためのテーパを有する凹部１２２Ｂが形成されており、皿ネジＮ２の頭部がこの凹部１２２Ｂ内に挿入することで、クランプ本体１２１の表面から頭部が飛び出さないようにする。さらに、ネジ挿通孔１２２Ａに凹部１２２Ｂを形成することで、クランプ本体１２１からネジ挿通孔１２２Ａの周囲が土台１１３側に飛び出す形となり、凹部１２２Ｂによって土台１１３とクランプ本体１２１との間に空間が形成され、この空間にケーブル９４が配置される。
一方、図４に示すように、小孔１２２Ｃには針金１２５が挿入され、この針金１２５をケーブル９４に巻き付かせることにより、ケーブル９４の取付部１２２に対する移動を規制するケーブル規制部となる。
【００３９】
コネクタ固定部１２３は、クランプ本体１２１の一側に位置し、前記板体を折曲することによって図面下側が開口部１２３Ａとなった箱状に形成される。折曲された板体の折曲部位のうち、取付部１２２に向かって右側の折曲部位にはＤＣジャック９０を取り付けるためのプラグ孔１２３Ｂおよびネジ穴１２３Ｃが穿設される。ネジＮ１，Ｎ１をネジ穴１２３Ｃ，１２３Ｃに挿通してＤＣジャック９０のネジ固定穴９３に螺合することにより、コネクタ固定部１２３にＤＣジャック９０が固定される。
【００４０】
ケーブル案内部１２４は、クランプ本体１２１の一側に位置し、取付部１２２から直交する方向に延びる板部１２４Ａと、この板部１２４Ａの伸長方向両端を折り曲げた折曲部１２４Ｂ，１２４Ｂとを有し、断面略「コ」字状に形成される。
【００４１】
本実施形態によるコネクタ用クランプ１２０にあっては、ケーブル案内部１２４からコネクタ固定部１２３までの離間寸法ｄは、取り付けられる土台１１３の厚さ（高さｈ）との関係が、ｄ＞ｈとなるように形成される。これにより、コネクタ固定部１２３は、土台１１３から突出するように取り付けられることになる。
【００４２】
ここで、ＤＣジャック９０の構成について説明する。ＤＣジャック９０は、ＤＣプラグ８０のピン８１が接続されるピン接続部９２、ネジ固定穴９３を有する樹脂製直方体のジャック本体９１と、このジャック本体９１の一側面から延設されるケーブル９４と、このケーブル９４の先端に接続された接続コネクタ９５と、を具備する。
【００４３】
コネクタ用クランプ１２０に対するＤＣジャック９０の固定について図４を参照しつつ説明する。
ＤＣジャック９０のジャック本体９１をコネクタ固定部１２３の開口部１２３Ａから、ケーブル９４が引き出される面が下側となるように挿入し、ネジ固定穴９３とネジ穴１２３Ｃとを合わせる。この状態で、ネジＮ１をネジ穴１２３Ｃに挿入してネジ固定穴９３にネジ込む。これにより、ジャック本体９１がコネクタ固定部１２３に固定される。
【００４４】
さらに、ケーブル９４をクランプ本体１２１の長さ方向に這わせて、小孔１２２Ｃ，１２２Ｃ間を通した上で、ケーブル案内部１２４に沿わせる。そして、小孔１２２Ｃに通した針金１２５をケーブル９４に巻き付けることにより、ケーブル９４を取付部１２２に対して位置決めする。これにより、図５に示すように、ケーブル９４および接続コネクタ９５は、コネクタ用クランプ１２０のケーブル案内部１２４によって外側に引き出される。
【００４５】
次に、土台１１３に対するコネクタ用クランプ１２０の取り付けについて説明する。
図５は、土台１１３にコネクタ用クランプ１２０を取り付ける前の状態を示した分解斜視図である。なお、底板１４には、図７に示すように、底面に裏側から表側に向けて延びるケーブル案内溝１４Ａと、ケーブル案内溝１４Ａの奥側に穿設されたケーブル挿通孔１４Ｂとが形成されている。
【００４６】
コネクタ用クランプ１２０は、そのクランプ本体１２１が土台１１３の側面と底面に対向して延びる形状（断面略「Ｌ」字状）に形成されている。そして、コネクタ用クランプ１２０は、その取付部１２２を土台１１３側面（化粧板１１３Ａ）に押し当てて、土台１１３底面にケーブル案内部１２４の各折曲部１２４Ｂ端部を当接させて、各折曲部１２４Ｂと土台１１３との間に形成される空間Ｓにケーブル９４を配置する（図８、参照）。一方、ケーブル９４をケーブル案内溝１４Ａに沿わせた上で、ケーブル９４の先端に位置した接続コネクタ９５を、ケーブル挿通孔１４Ｂからピアノ１内に挿入する（図７および図９、参照）。
【００４７】
この状態で、木ネジＮ２をネジ挿通孔１２２Ａに通して土台１１３にネジ込むことにより、コネクタ用クランプ１２０を土台１１３に取り付ける。また、接続コネクタ９５は、給電用リード線４９Ａの端部に接続された接続コネクタ（図示せず）に接続されて、ＤＣジャック９０とコントローラ５０とはケーブル９４および給電用リード線４９Ａによって電気的に接続されることになる。
【００４８】
本実施形態においては、コントローラ５０から延びる給電用リード線４９Ａは、ピアノ１の前側に位置した下前板１３からピアノ１内に挿入され、底板１４のケーブル挿通孔１４Ｂから裏側に回り込んでＤＣジャック９０に接続される。底板１４から裏側に回り込む部分、つまり土台１１３の底面から側面に回り込む部分にコネクタ用クランプ１２０が取り付けられる。
【００４９】
そして、コネクタ用クランプ１２０は、コネクタ用クランプ１２０と土台１１３との間に形成される空間にケーブル９４を配置するから、土台１１３の側面から底面に沿って這わせたケーブル９４が外部に露出するのを防止し、当該ケーブル９４の保護を確実に図ることができる。
【００５０】
また、コネクタ用クランプ１２０は、土台１１３の角を跨いで取り付けられているため、底板１４のケーブル挿通孔１４Ｂから外に延出されたケーブル９４が土台１１３の側面から露出することはないため、ピアノ１の美観を損なうのを抑制することができる。
【００５１】
さらに、コネクタ用クランプ１２０は、一枚板を折曲加工することによって形成されているため、ケーブルの引き回しのためにピアノの脚柱等を加工する場合に比べ、コスト低減と作業時間の大幅削減を得ることができる。
【００５２】
さらにまた、底板１４に穿設したケーブル挿通孔１４Ｂを通してケーブル９４をピアノ１内に案内しているため、響板等のように打弦音に影響を及ぼす部位に挿通孔の穿設加工を行う必要がないため、打弦音に悪影響を与えることはない。
【００５３】
＜変形例＞
以上、本発明による実施形態について説明したが、本発明は上述した実施形態に限定されるものではなく、他の様々な形態で実施可能である。
【００５４】
本実施形態においては、コネクタ用クランプ１２０にＤＣジャック９０を固定する場合を例示したが、本発明はこれに限らず、ヘッドフォンシャック等にも用いてもよい。また、ネジＮ１による固定のみでなく、ジャック自体がナット止めされる構造の場合には、ネジ穴１２３Ｂに直接ナットを接触させて、ジャックを固定するようにしてもよい。
【００５５】
また、コネクタ用クランプ１２０の取付位置は、ピアノ１の裏面に限るものではなく、要は、ユーザから見えない面から見える位置にケーブル９４（リード線４９）を引き回す際に、角に当たる部分が取付位置となってもよい。
さらに、コントローラ５０の位置は、棚板１８の左側下に限るものではなく、ピアノ１内に設けるようにしてもよい。
【００５６】
さらに、土台の形状は四角柱に限るものではなく、円柱状や多角柱状であってもよく、この場合には、クランプ本体１２１の形状を土台の断面形状に合わせて形成すればよい。
【００５７】
前記実施形態では、コネクタ用クランプ１２０をアップライトピアノに用いた場合を例示したが、本発明は鍵盤楽器に限らず、ケーブルが接続されたコネクタを支持するためのクランプとして用いてもよい。
【図面の簡単な説明】
【００５８】
【図１】本発明の実施形態に係るアップライトピアノを示す部分断面図である。
【図２】ピアノの支柱組立品を示す図である。
【図３】本実施形態に係るコネクタ用クランプを示す図である。
【図４】ＤＣジャックをコネクタ用クランプに固定する前の状態を示した斜視図である。
【図５】コネクタ用クランプを土台に固定する前の状態を示した斜視図である。
【図６】土台にコネクタ用クランプを取り付けた状態を示す図である。
【図７】図６中の矢視VII−VIIから見た変形断面図である。
【図８】図７中の矢視VIII−VIIIから見た変形断面図である。
【図９】図７中の矢視IX−IXから見た変形断面図である。
【符号の説明】
【００５９】
１・・・アップライトピアノ、４９・・・リード線、４９Ａ・・・給電用リード線、５０・・・コントローラ、８０・・・ＤＣプラグ、９０・・・ＤＣジャック、１１３・・・土台、１２０・・・コネクタ用クランプ、１２１・・・クランプ本体、１２２・・・取付部、１２２Ａ・・・ネジ挿通孔、１２２Ｂ・・・テーパを有する凹部、１２２Ｃ・・・小孔、１２３・・・コネクタ固定部、１２３Ａ・・・開口部、１２３Ｂ・・・プラグ孔、１２３Ｃ・・・ネジ穴、１２４・・・ケーブル案内部。
【図１】
2009217031.tif 000003
【図２】
2009217031.tif 000004
【図３】
2009217031.tif 000005
【図４】
2009217031.tif 000006
【図５】
2009217031.tif 000007
【図６】
2009217031.tif 000008
【図７】
2009217031.tif 000009
【図８】
2009217031.tif 000010
【図９】
2009217031.tif 000011